(57)【要約】      （修正有）【課題】納品庫を有するストッカにおいて、目的位置及び方向をより確実に視認する。【解決手段】ストッカは、物品を収納し施錠及び解錠可能な扉２１と、扉から外部に光が照射される光源２２とを有し縦横に配列された複数の納品庫２０と、操作パネル１４又は納品庫の前である現在位置から目的の納品庫又は操作パネルである目的位置までの間の複数の光源を点灯させ目的位置と目的位置の方向とを視認させる方向指示点灯処理を実行する。【選択図】図１
2020062195.tif 000002
【特許請求の範囲】
【請求項１】
物品を収納し施錠及び解錠可能な扉と、該扉から外部に光が照射される光源とを有し縦横に配列された複数の納品庫と、
操作パネル又は前記納品庫の前である現在位置から目的の前記納品庫又は前記操作パネルである目的位置までの間の複数の前記光源を点灯させ前記目的位置と前記目的位置の方向とを視認させる方向指示点灯処理を実行する制御部と、
を備えたストッカ。
【請求項２】
前記制御部は、前記目的位置に向かって流れるように前記光源を点滅させる前記方向指示点灯処理を実行する、請求項１に記載のストッカ。
【請求項３】
前記制御部は、前記目的位置と同じ高さの前記納品庫に配設された前記光源を点灯させる前記方向指示点灯処理を実行する、請求項１又は２に記載のストッカ。
【請求項４】
前記制御部は、前記目的位置までの全ての前記光源を点灯させるか、又は１以上の間隔を空けた前記光源を点灯させる前記方向指示点灯処理を実行する、請求項１〜３のいずれか１項に記載のストッカ。
【請求項５】
前記制御部は、前記目的位置が所定数の前記納品庫よりも離れている際に前記方向指示点灯処理を実行する、請求項１〜４のいずれか１項に記載のストッカ。
【請求項６】
前記制御部は、前記現在位置としての操作パネルと前記目的位置としての解錠した前記納品庫との間、又は、前記現在位置としての作業した前記納品庫と前記目的位置としての前記操作パネルとの間の前記光源を点灯させる前記方向指示点灯処理を実行する、請求項１〜５のいずれか１項に記載のストッカ。
【請求項７】
物品を収納し施錠及び解錠可能な扉と、該扉から外部に光が照射される光源とを有し縦横に配列された複数の納品庫、を備えたストッカの制御方法であって、
操作パネル又は前記納品庫の前である現在位置から目的の前記納品庫又は前記操作パネルである目的位置までの間の複数の前記光源を点灯させ前記目的位置と前記目的位置の方向とを視認させる方向指示点灯処理を実行するステップ、
を含むストッカの制御方法。
【発明の詳細な説明】
【技術分野】
【０００１】
本明細書は、ストッカ及びストッカの制御方法を開示する。
【背景技術】
【０００２】
従来、ストッカとしては、電子キーで解錠操作が行われると対応する郵便受けを解錠すると共に表示器を点灯させてその郵便受けの位置を報知するものが提案されている（例えば、特許文献１参照）。このストッカでは、郵便物や宅配物の収受を確実且つスムーズに行うことができるとしている。
【先行技術文献】
【特許文献】
【０００３】
【特許文献１】特開２０１１−５６１２７号公報
【発明の概要】
【発明が解決しようとする課題】
【０００４】
しかしながら、特許文献１に記載のストッカでは、例えばより多くの納品庫があり、より遠くに目的の納品庫がある場合、目的の納品庫を視認しにくいことがあった。
【０００５】
本開示は、このような課題を解決するためになされたものであり、目的位置及び方向をより確実に視認することができるストッカ及びストッカの制御方法を提供することを主目的とする。
【課題を解決するための手段】
【０００６】
本開示のストッカ及びストッカの制御方法は、上述の主目的を達成するために以下の手段を採った。
【０００７】
本明細書で開示するストッカは、
物品を収納し施錠及び解錠可能な扉と、該扉から外部に光が照射される光源とを有し縦横に配列された複数の納品庫と、
操作パネル又は前記納品庫の前である現在位置から目的の前記納品庫又は前記操作パネルである目的位置までの間の複数の前記光源を点灯させ前記目的位置と前記目的位置の方向とを視認させる方向指示点灯処理を実行する制御部と、
を備えたものである。
【０００８】
このストッカでは、現在位置から目的位置までの間の光源が点灯するため、目的位置とその方向とをより確実に視認することができる。ここで、「点灯」とは、点灯した状態を維持する状態のほか、一時的に消灯する状態を含むものとする。
【０００９】
本開示のストッカにおいて、前記制御部は、前記目的位置に向かって流れるように前記光源を点滅させる前記方向指示点灯処理を実行するものとしてもよい。このストッカでは、目的位置及びその方向をより視認しやすい。
【００１０】
本開示のストッカにおいて、前記制御部は、前記目的位置と同じ高さの前記納品庫に配設された前記光源を点灯させる前記方向指示点灯処理を実行するものとしてもよい。このストッカでは、直線で光源が点灯するため、目的位置及びその方向をより視認しやすい。
【００１１】
本開示のストッカにおいて、前記制御部は、前記目的位置までの全ての前記光源を点灯させるか、又は１以上の間隔を空けた前記光源を点灯させる前記方向指示点灯処理を実行するものとしてもよい。このストッカにおいて、全ての光源を点灯させる場合はより視認性を高めることができ、間隔を空けて光源を点灯させる場合は消費電力をより抑制することができる。
【００１２】
本開示のストッカにおいて、前記制御部は、前記目的位置が所定数の前記納品庫よりも離れている際に前記方向指示点灯処理を実行するものとしてもよい。このストッカでは、目的位置が視認しにくいほど離れている場合に、方向指示点灯処理を行うので、視認性の向上と消費電力の低減とを両立させることができる。このとき、前記制御部は、前記目的位置が所定数の前記納品庫よりも近い場合は目的の前記納品庫の光源又は操作パネルを点灯するものとしてもよい。
【００１３】
本開示のストッカにおいて、前記制御部は、前記現在位置としての操作パネルと前記目的位置としての解錠した前記納品庫との間、又は、前記現在位置としての作業した前記納品庫と前記目的位置としての前記操作パネルとの間の前記光源を点灯させる前記方向指示点灯処理を実行するものとしてもよい。このストッカでは、納品庫と操作パネルとの間で移動する際に、目的位置及びその方向をより視認しやすい。
【００１４】
本開示のストッカの制御方法は、
物品を収納し施錠及び解錠可能な扉と、該扉から外部に光が照射される光源とを有し縦横に配列された複数の納品庫、を備えたストッカの制御方法であって、
操作パネル又は前記納品庫の前である現在位置から目的の前記納品庫又は前記操作パネルである目的位置までの間の複数の前記光源を点灯させ前記目的位置と前記目的位置の方向とを視認させる方向指示点灯処理を実行するステップ、
を含むものである。
【００１５】
このストッカの制御方法では、現在位置から目的位置までの間の光源が点灯するため、目的位置とその方向とをより確実に視認させることができる。なお、このストッカの制御方法において、上述したストッカの種々の態様を採用してもよいし、また、上述したストッカの各機能を実現するような構成を追加してもよい。
【図面の簡単な説明】
【００１６】
【図１】ストッカシステム１０の一例を表す概略説明図。
【図２】解錠点灯処理ルーチンの一例を表すフローチャート。
【図３】所定数以内の扉２１を解錠したときのストッカ１１の説明図。
【図４】所定数以上離れている扉２１を解錠したときの方向指示点灯処理の説明図。
【図５】間隔を空けて点灯する方向指示点灯処理の説明図。
【図６】高さを変えて点灯する方向指示点灯処理の説明図。
【図７】流れるように点滅させる方向指示点灯処理の説明図。
【図８】扉閉鎖後に操作パネル１４での作業がある方向指示点灯処理の説明図。
【図９】別の光源２２Ｂを備えたストッカ１１Ｂの説明図。
【発明を実施するための形態】
【００１７】
本開示の実施形態を図面を用いて説明する。図１は、ストッカシステム１０の一例を表す概略説明図である。なお、本実施形態において、左右方向、前後方向及び上下方向は、各図に示した通りとする。ストッカシステム１０は、１又は２以上のストッカ１１と、ストッカ管理装置１２とを備えている。なお、図１では、ストッカ１１を１つだけ示した。ストッカ管理装置１２は、ネットワーク１３を介してストッカ１１と情報のやりとりを行うサーバとして構成されている。このストッカ管理装置１２は、ストッカ１１の利用状況などを管理する。
【００１８】
ストッカ１１は、図１に示すように、複数の納品庫２０と、操作パネル１４と、制御ユニット１５とを備えている。ストッカ１１は、上下に複数個（図１では４個）ずつの納品庫２０が左右に複数列（図１では１５列）並んで配置されており、左端の列の１つの納品庫２０に代えて操作パネル１４と共に制御ユニット１５が配置されている。このストッカ１１は、オフィスやコンビニエンスストア、駅、学校、マンション、ショッピングセンタなど様々な場所に設置され、屋内だけでなく屋外にも設置可能に構成されている。ストッカ１１は、いずれかの納品庫２０を配達先として配達者（納入者）により物品が納入された後に、受取者がこの納品庫２０から物品を取り出して物品を受け取る受渡庫として利用される。また、ストッカ１１は、所定の集荷業者が集荷に来るよう定められ、一般の利用者が物品を所望の目的地へ発送する発送庫としても利用される。更に、ストッカ１１は、物品を一時保管するコインロッカーとしても利用される。このように、ストッカ１１は、受渡庫、発送庫及び一時保管庫のうち１以上に用いることができる。
【００１９】
納品庫２０は、図１に示すように、物品を収容可能な箱状の本体と、物品を収納し施錠及び解錠可能な扉２１と、扉２１から外部に光が照射される光源２２とを有している。納品庫２０は、直方体状の本体を有しており、この本体に開閉可能に取り付けられる矩形板状の扉２１を備えている。納品庫２０は、扉２１を開いて本体内の空間に物品を納入可能となっている。納品庫２０の各々は、扉２１の施錠及び解錠を行うロック機構３１と、納品庫２０内の物品の有無を検出する物品センサ３２と、扉２１の開閉を検出する開閉センサ３３とを備えている。物品センサ３２や開閉センサ３３は、光を用いた非接触式のセンサとしてもよいし、素子を用いた接触式のセンサとしてもよい。光源２２は、例えば、不透明の内部側の板と、半透明の外部側の板との二重構造を有する扉２１の内部に配設されている。光源２２は、扉２１の全体を光らせることができる。この光源２２は、制御ユニット１５により点灯及び消灯が制御される。また、納品庫２０には、その内部を照らす照明２３が配設されている。照明２３は、扉２１が開放されると制御ユニット１５により点灯される。
【００２０】
操作パネル１４は、利用者により操作入力が行われるデバイスであり、タッチパネル４１や、カードリーダ４２、コードリーダ４３、受領印モジュール４４、カメラモジュール４５、音声ユニット４６、シリンダ錠４７及び人感センサ４８などが配設されている。タッチパネル４１は、タッチ操作が可能な表示部を有している。このタッチパネル４１には、例えば、物品の納入や取り出しに関する入力操作などを受け付ける操作画面が表示される。カードリーダ４２は、例えば物品の配達者や受取者の識別情報などが登録されたＩＣカードなどを読み取るものである。コードリーダ４３は、例えば物品の配達伝票や受取者の携帯端末などに示された各種コードを読み取るものである。受領印モジュールは４４、例えば物品の配達伝票などに受領印を押印可能なスタンプユニットである。カメラモジュール４５は、ストッカ１１の前方の所定範囲を撮像可能に配置され、配達者や受取者などの被写体を含む画像を撮像する。音声ユニット４６は、物品の納入や取り出しに関する操作案内などを音声穴を介して音声で出力するユニットである。シリンダ錠４７は、ストッカ１１の管理権限のある集荷業者や納品業者などにより鍵穴に挿入された鍵の操作により操作パネル１４を解錠したり施錠したりする。この操作パネル１４の本体内には、携帯型のコードリーダが収納されている。携帯型のコードリーダは、集荷業者や納品業者が納品庫２０の前で物品のコードを読み込んだりするときに利用される。人感センサ４８は、利用者の有無を検知するセンサである。
【００２１】
制御ユニット１５は、ストッカ１１の全体を制御するＣＰＵ１６を備えたデバイスであり、図１に示すように、記憶部１７や通信部１８などを備える。記憶部１７は、各種アプリケーションプログラムや各種データファイルを記憶するものである。通信部１８は、ストッカ管理装置１２などの外部機器と通信を行うものである。この制御ユニット１５は、操作パネル１４や納品庫２０と電気的に接続されており、制御信号を出力すると共に、各種センサの信号などを入力する。
【００２２】
次に、このように構成されたストッカシステム１０の動作、特に、操作者が扉２１を開閉する際の処理について説明する。図２は、ストッカ１１の制御ユニット１５によって実行される解錠点灯処理ルーチンの一例を表すフローチャートである。このルーチンは、記憶部１７に記憶され、人感センサ４８で操作者を検知したあとＣＰＵ１６により実行される。このルーチンを開始すると、ＣＰＵ１６は、操作パネル１４からの入力があるか否かを判定し（Ｓ１００）、入力があるまで待機する。一方、操作パネル１４からの入力があったときには、ＣＰＵ１６は、入力された情報を取得し（Ｓ１１０）、入力された情報が解錠処理であるか否かを判定する（Ｓ１２０）。入力された情報が解錠処理でないときには、ＣＰＵ１６は、入力された処理を実行し（Ｓ１３０）、Ｓ１００以降の処理を実行する。Ｓ１３０において、例えば、他の画面の表示が選択された場合は、ＣＰＵ１６は、その画面をタッチパネル４１に表示処理する。
【００２３】
一方、Ｓ１２０で解錠処理が入力されたときには、ＣＰＵ１６は、入力された情報に基づいて認証されたか否かを判定する（Ｓ１４０）。解錠処理が入力されているときには、ＣＰＵ１６は、Ｓ１１０で、ＩＤとパスワードを取得し、これを用いて認証処理を行う。認証されないときには、ＣＰＵ１６は、その旨のメッセージを出力し、Ｓ１００以降の処理を実行する。一方、Ｓ１４０で認証されたときには、ＣＰＵ１６は、目的位置としての解錠する納品庫２０が、現在位置としての操作パネル１４から所定数の納品庫数、離れているか否かを判定する（Ｓ１５０）。この所定数は、例えば、操作パネル１４の前で操作している利用者が解錠した納品庫２０（解錠納品庫２５とも称する）を視認しにくくなる距離の納品庫数に設定されているものとしてもよい。このストッカ１１では、所定数は、操作パネル１４から６個先の納品庫２０に設定されている。目的位置が現在位置から所定数離れていないときには、ＣＰＵ１６は、そのまま納品庫２０を解錠する（Ｓ１７０）。図３は、操作パネル１４から所定数以内の扉２１を解錠したときのストッカ１１の説明図である。ＣＰＵ１６は、そのまま扉２１を開放し、照明２３を点灯させ、納品庫２０の内部を視認しやすくする。このとき、ＣＰＵ１６は、目的位置である納品庫２０の光源２２を点灯するものとしてもよい。
【００２４】
一方、目的位置が現在位置から所定数以上離れているときには、ＣＰＵ１６は、現在位置から目的位置までの間の複数の光源２２を点灯させ目的位置と目的位置の方向とを視認させる方向指示点灯処理を実行し（Ｓ１６０）、Ｓ１７０で納品庫２０を解錠する。図４は、所定数以上離れている扉２１を解錠したときの方向指示点灯処理の説明図である。解錠納品庫２５が操作パネル１４から所定数以上離れているときには、ＣＰＵ１６は、図４に示すように、目的位置と同じ高さの納品庫２０に配設された光源２２を点灯させるものとしてもよい。また、図４に示すように、光源２２を点灯させる点灯納品庫２６は、現在位置から目的位置までの全てとしてもよい。なお、「点灯」とは、点灯した状態を維持する状態のほか、一時的に消灯する状態を含むものとする。
【００２５】
また、方向指示点灯処理を行うに際して、ＣＰＵ１６は、図５に示すように、１以上の間隔を空けた光源２２を点灯させるものとしてもよい。図５は、間隔を空けて点灯する方向指示点灯処理の説明図である。図５では、納品庫２０の間隔を１つの空けるものとしたが、特にこれに限定されず、ＣＰＵ１６は、２つ以上の間隔を空けてもよい。また、図５では、間隔を空ける光源２２を等間隔としたが特にこれに限定されず、操作パネル１４の近くを広く、解錠納品庫２５の近くを狭くしてもよいし、その逆にしてもよい。
【００２６】
あるいは、方向指示点灯処理を行うに際して、ＣＰＵ１６は、図６に示すように、同じ高さではなく、順次、解錠納品庫２５の高さになるよう高さを変えて光源２２を点灯させるものとしてもよい。図６は、高さを変えて光源２２を点灯する方向指示点灯処理の説明図である。図６では、全ての光源２２を点灯する例を示したが、この場合も間隔を空けてもよい。
【００２７】
更に、方向指示点灯処理を行うに際して、ＣＰＵ１６は、図７に示すように、現在位置から目的位置に向かって流れるように光源２２を点滅させる方向指示点灯処理を実行するものとしてもよい。図７は、流れるように光源２２を点滅させる方向指示点灯処理の説明図である。図７では、現在位置から目的位置に向かって、光源２２の点灯及び消灯を所定の時間間隔で行う例を示したが、現在位置から目的位置に向かって、所定の時間間隔で順次光源２２を点灯させ、全体が点灯したあと全体を消灯させるとの処理を繰り返すものとしてもよい。このように、方向指示点灯処理を実行すると、操作者は、解錠納品庫２５が離れている場合でも、その位置や方向を、より確実に視認することができる。なお、ＣＰＵ１６は、上述した図４〜７の方向指示点灯処理を適宜組み合わせて実行するものとしてもよい。
【００２８】
Ｓ１７０のあと、ＣＰＵ１６は、扉２１が閉鎖されたか否かを開閉センサ３３の信号に基づいて判定し（Ｓ１８０）、扉２１が閉鎖されていないときにはそのまま待機する。一方、扉２１が閉鎖されたときには、ＣＰＵ１６は、光源２２を消灯させ（Ｓ１９０）、次の目的位置があるか否かを判定する（Ｓ２００）。操作者が一般の利用者である場合は、扉２１を閉鎖したあとは、特に次の目的位置はなく、取り出した物品を持ち帰るか、発送する物品を収納して終了する。一方、操作者が配送業者や集荷業者の場合は、例えば、制御ユニット１５から取り出した携帯型のコードリーダを解錠納品庫２５で使用したのち、制御ユニット１５へ戻す作業や、操作パネル１４での処理完了を入力させる場合がある。ＣＰＵ１６は、このような状況であるか否かを判定する。次の目的位置があるときには、ＣＰＵ１６は、現在位置と目的位置との間の光源２２を点灯させる方向指示点灯処理を実行する（Ｓ２１０）。図８は、扉閉鎖後に操作パネル１４での作業がある場合の方向指示点灯処理の説明図である。この方向指示点灯処理においても、上述したいずれかの方向指示点灯処理を採用することができる。このように、作業していた現在位置の扉２１を閉鎖したあとに光源２２が点灯すると、操作者は、操作パネル１４での作業など、次の目的位置での作業を忘れることなく完了することができる。
【００２９】
Ｓ２１０のあと、ＣＰＵ１６は、目的位置での作業が終了するまで待機する（Ｓ２２０）。目的位置での作業としては、制御ユニット１５への携帯型のコードリーダの返却や、操作パネル１４での入力操作などが挙げられる。Ｓ２２０で目的位置での作業が終了すると、ＣＰＵ１６は、Ｓ１９０以降の処理を実行する。即ち、ＣＰＵ１６は、Ｓ１９０で光源２２を消灯させ、Ｓ２００で次の目的位置があるかを判定し、次の目的位置があれば、現在位置とその目的位置との間の光源２２を点灯させる方向指示点灯処理を実行する。一方、Ｓ２００で次の目的位置がないときには、ＣＰＵ１６は、ストッカ１１で行う処理が全て終了したか否かを判定し（Ｓ２３０）、全ての処理が終了していないときには、Ｓ１００以降の処理を実行する。一方、Ｓ２３０で、全ての処理が終了したとき、例えば、ストッカ１１の電源がオフされたときなどには、そのままこのルーチンを終了する。
【００３０】
ここで、本実施形態の構成要素と本開示の構成要素との対応関係を明らかにする。本実施形態のストッカ１１が本開示のストッカに相当し、納品庫２０が納品庫に相当し、扉２１が扉に相当し、光源２２が光源に相当し、ＣＰＵ１６が制御部に相当し、操作パネル１４が操作パネルに相当する。なお、本実施形態では、ＣＰＵ１６の動作を説明することにより本開示のストッカの制御方法の一例も明らかにしている。
【００３１】
以上説明した本実施形態のストッカ１１では、操作パネル１４又は納品庫２０の前である現在位置から目的の納品庫２０又は操作パネル１４である目的位置までの間の複数の光源２２を点灯させ目的位置と目的位置の方向とを視認させる方向指示点灯処理を実行する。このストッカ１１では、現在位置から目的位置までの間の光源２２が点灯するため、目的位置とその方向とをより確実に視認することができる。また、ＣＰＵ１６は、目的位置と同じ高さの納品庫２０に配設された光源２２を点灯させる方向指示点灯処理を実行する。このストッカ１１では、直線で光源２２が点灯するため、目的位置及びその方向をより視認しやすい。更に、ＣＰＵ１６は、目的位置までの全ての前記光源を点灯させる方向指示点灯処理を実行する。このストッカ１１では、より視認性を高めることができる。更にまた、ＣＰＵ１６は、１以上の間隔を空けるか、１以上を消灯させ、光源２２を点灯させる方向指示点灯処理を実行する。このストッカ１１では、光源２２を消灯させつつ光源２２を点灯させる場合は、消費電力をより抑制することができる。そしてまた、ＣＰＵ１６は、目的位置に向かって流れるように光源２２を点滅させる方向指示点灯処理を実行する。このストッカ１１では、目的位置及びその方向をより視認しやすい。
【００３２】
また、ＣＰＵ１６は、目的位置が所定数の納品庫以上離れている際に、方向指示点灯処理を実行する。このストッカ１１では、目的位置が視認しにくいほど離れている場合に、方向指示点灯処理を行うので、視認性の向上と消費電力の低減とを両立させることができる。更に、ＣＰＵ１６は、現在位置としての操作パネル１４と目的位置としての解錠納品庫２５との間、又は、現在位置としての作業した納品庫２０と目的位置としての操作パネル１４との間の光源２２を点灯させる方向指示点灯処理を実行する。このストッカ１１では、納品庫２０と操作パネル１４との間で移動して作業する際に、目的位置及びその方向をより視認しやすい。更にまた、ＣＰＵ１６は、光源２２による方向指示点灯処理を実行するため、操作パネル１４の表示部に図示することなく、解錠納品庫２５の位置を操作者に視認させることができる。
【００３３】
なお、本開示は上述した実施形態に何ら限定されることはなく、本開示の技術的範囲に属する限り種々の態様で実施し得ることはいうまでもない。
【００３４】
上述した実施形態では、扉２１の全体を点灯させる光源２２を備えたものとして説明したが、扉２１が点灯されるものとすれば、特にこれに限定されない。図９は、別の光源２２Ｂを備えたストッカ１１Ｂの説明図である。例えば、図９に示すように、扉２１の横方向を長手方向とする光源２２を備えるものとしてもよい。このストッカ１１Ｂにおいても、現在位置から目的位置までの間の光源２２Ｂが点灯するため、目的位置とその方向とをより確実に視認することができる。あるいは、光源２２は、点状であるものとしてもよい。また、光源２２は、扉２１の一部を半透明にして、納品庫２０の内部を照明する照明２３と兼ねるものとしてもよい。このストッカ１１では、構成をより簡素なものとすることができる。
【００３５】
上述した実施形態では、現在位置から所定数の納品庫よりも目的位置が離れている際に方向指示点灯処理を実行するものとしたが、特にこれに限定されず、全ての納品庫２０に対して方向指示点灯処理を実行するものとしてもよい。このストッカ１１では、近く遠くに限らず、目的位置とその方向とをより確実に視認することができる。
【００３６】
上述した実施形態では、納品庫２０が全て連結されたストッカ１１としたが、特にこれに限定されず、連結されていない１以上の納品庫２０があってもよい。連結されていない納品庫２０は、例えば、無線などで制御ユニット１５と通信するものとしてもよい。この場合においても、上述した実施形態と同様に、操作者の現在位置から目的位置との間の光源２２を点灯させればよい。また、連結した納品庫２０の一群が向かい合うように配置されたストッカ１１の場合、操作パネル１４を備えない側の納品庫２０を解錠する際には、その側の光源２２を点灯するものとしてもよい。ＣＰＵ１６は、目的位置及び方向を視認しやすいように光源２２を点灯させるものとすればよい。
【００３７】
上述した実施形態では、ストッカシステム１０は、ネットワーク１３に接続されたストッカ管理装置１２を有するものとしたが、ストッカ管理装置１２を省略してもよい。
【００３８】
上述した実施形態では、本開示をストッカ１１として説明したが、特にストッカ１１に限定されず、ストッカの制御方法としてもよいし、その制御方法を実行するプログラムとしてもよい。
【産業上の利用可能性】
【００３９】
本開示のストッカ及びストッカの制御方法は、物品をストッカに納品する物品流通システムの技術分野に利用可能である。
【符号の説明】
【００４０】
１０  ストッカシステム、１１，１１Ｂ  ストッカ、１２  ストッカ管理装置、１３  ネットワーク、１５  制御ユニット、１６  ＣＰＵ、１７  記憶部、１８  通信部、２０  納品庫、２１  扉、２２，２２Ｂ  光源、２５  解錠納品庫、２６  点灯納品庫、３１  ロック機構、３２  物品センサ、３３  開閉センサ、４１  タッチパネル、４２  カードリーダ、４３  コードリーダ、４４  受領印モジュール、４５  カメラモジュール、４６  音声ユニット、４７  シリンダ錠、４８  人感センサ。
【図１】
2020062195.tif 000003
【図２】
2020062195.tif 000004
【図３】
2020062195.tif 000005
【図４】
2020062195.tif 000006
【図５】
2020062195.tif 000007
【図６】
2020062195.tif 000008
【図７】
2020062195.tif 000009
【図８】
2020062195.tif 000010
【図９】
2020062195.tif 000011